(57)【要約】      （修正有）【課題】簡易な構造で、微細な気泡を水に混入させ、かつ先止め式の止水装置を具えたシャワーヘッドに対応したシャワーヘッド用アスピレータ装置を提供する。【解決手段】一端をシャワーホース連結部１３とし、他端をシャワーヘッド連結部１１とし、中間を内部に空間の形成された気体混入部１２として構成される本体１と、該気体混入部１２に形成する吸気孔１２２に設ける球体３及び吸気口部材４と、該シャワーヘッド連結部１１に内設する吐水部２とによって構成されて、該シャワーホース連結部１３には端面から該本体１の軸方向に沿って連結溝１１１を形成して内壁に螺刻するとともに、該連結溝１１１の底面には水流ガイド通路１１２が内部に形成された水流ガイド管１１３を一体に形成してなり、該気体混入部１２には該水流ガイド管１１３の一端から該シャワーホース連結部１３に向かって内径が漸拡するテーパ状空間と、該本体１の外周面から穿設する吸気孔１２２が形成される。【選択図】図１
0003208970.tif 000002
【実用新案登録請求の範囲】
【請求項１】
本体と、球体と、吸気口部材と、吐水部とによってなり、かつシャワーホースと、シャワーヘッドとの間に介在させて用いるシャワーヘッド用アスピレータであって、
該本体は略筒状を呈し、一端をシャワーホース連結部とし、他端をシャワーヘッド連結部とし、かつ該シャワーホース連結部と該シャワーヘッド連結部との間に定義され、内部に空間の形成された気体混入部とによって構成され、
該シャワーヘッド連結部には端面から該本体の軸方向に沿って連結溝を形成して内壁に螺刻するとともに、該連結溝の底面には中空の柱状を呈し、かつ該気体混入部の内部空間に連通する水流ガイド通路が内部に形成され、
該気体混入部には該水供給管の一端から該シャワーヘッド連結部に向かって内径が漸拡するテーパ状空間と、該本体の外周面から穿設する吸気孔が形成され、
該シャワーホース連結部は、該気体混入部の内部空間から連続して形成され、かつ該吐水部を取り付ける取付空間を具え、シャワーホースを取り付ける側の一端を開口端するとともに、外周面と内周面とのいずれにも螺刻してなり、
該球体は、該吸気孔内に移動自在に設け、
該吸気口部材は環状を呈し、該吸気孔内に嵌着して固定し、
該吐水部は筒状を呈して両端を開口端とし、一端を水流進入端とし、他端を水流吐出端とするとともに、該水流進入端において傾斜壁を形成してテーパ状の内部空間を形成し、かつ外周面の該水流吐出端側において該シャワーヘッド連結部の内周面に形成するネジ山に対応させて螺刻し、該シャワーヘッド連結部の該取付け空間に螺着することを特徴とするシャワーヘッド用アスピレータ。
【請求項２】
前記吐水部の該水流吐出端の内径が、該水流ガイド通路の内径に比して約４：３の比率で狭くなるように形成される、ことを特徴とする請求項１に記載のシャワーヘッド用アスピレータ。
【請求項３】
前記本体の該気体混入部の外周面において、円周に沿って環状に環状溝を形成し、かつ該環状溝の底面に該吸気孔を穿設する、ことを特徴とする請求項１に記載のシャワーヘッド用アスピレータ。
【請求項４】
前記気体混入部の該テーパ状空間の最大内径が、該水供給管の内径に比して少なくとも２倍以上となる、ことを特徴とする請求項１に記載のシャワーヘッド用アスピレータ。
【請求項５】
前記本体の該気体混入部の吸気孔１２３の底部内壁の一部が、該吸気孔の中心に向かって迫り出し、突縁状の球体当接部を少なくとも１以上形成する、ことを特徴とする請求項１に記載のシャワーヘッド用アスピレータ装置。
【考案の詳細な説明】
【技術分野】
【０００１】  この考案は、シャワーヘッドとシャワーホースとの間に取付けて用いるアスピレータ装置に関し、特にシャワーヘッド側で止水できる先止め式のシャワーヘッドに対応した逆止弁を具えるシャワーヘッド用アスピレータ装置に関する。
【背景技術】
【０００２】  従来のシャワーヘッド装置は、水を吐出する吐水部を具え、沐浴に供する。然しながら、吐出する水は、単なる水、もしくは温水などである。水そのものには、何ら効能などはない。そこで、このシャワーヘッドから吐出される水に微小な気泡を混入させて、洗浄力の向上、節水効果、もしくはマッサージ効果などを得ようとする装置が開発された。【０００３】  特開２０１５−２０５０３９公報に記載されるシャワーヘッドは、炭酸ガスの効果とマイクロバブルの効果とを相乗的に高めることが可能なシャワーヘッドであって、水の流路を規定する本体部と、該本体部に接続され、前記流路を通過した水が吐出される複数の散水孔を有する散水部材とを備え、該本体部は、  前記流路を通過する水にマイクロバブルを発生させる構造を有する炭酸ガスの効果とマイクロバブルの効果とを相乗的に高めると、前記マイクロバブル発生機構よりも上流側に配置され、前記流路を通過する水と反応して炭酸ガスを発生させるように炭酸タブレットを収容可能な収容空間を規定する収容部とを有する。【０００４】  上述するシャワーヘッドは、炭酸ガスの効果とマイクロバブルの効果とを相乗的に高めることを論じる前に、使用上不便で、利便性に欠けるものと言える。即ち、シャワーヘッドの所謂グリップ部にマイクロバブル発生機構と炭酸タブレットを収容可能な収容空間とを設けたことは、グリップ部に先止め式の止水装置を設ける余裕がなくなる。よって、シャワーヘッドからの吐水を止める場合は、手元で操作できず、混合水栓などの水栓を操作しなければならない。また、マイクロバブル発生機構に何らかの不具合が発生した場合は、シャワーヘッドそのものを取り換えなければならない。【０００５】  また、上述する特開２０１５−２０５０３９公報に記載されるシャワーヘッドを含むマイクロバブル発生及び／もしくは混入機能を具えたシャワーヘッドは、マイクロバブル発生手段を外部接続する形態を除き、ほとんどがシャワーヘッドにマイクロバブル発生及び／もしくは混入手段を内設した構造であるため、先止め式の止水装置を設ける余裕がなく、シャワーヘッドからの吐水を止める場合は、混合水栓などの水栓を操作しなければならない。また、マイクロバブル発生機構に何らかの不具合が発生した場合は、シャワーヘッドそのものを取り換えなければならない。のみならず、構造が複雑で、製造が容易でなく、製造コストも高くなる。
【先行技術文献】
【０００６】
【特許文献】
【特許文献】  特許公開２０００６−９７１５３号公報
【考案の概要】
【考案が解決しようとする課題】
【０００８】  この考案は、簡単な操作で既存のシャワーヘッドとシャワーホースとの間に着脱自在に設けることができ、かつ微細な気泡を水に混入させることができる簡易な構造のシャワーヘッド用アスピレータ装置を提供することを課題とする。【０００９】  また。この考案は先止め式の止水装置を具えたシャワーヘッドとシャワーホースとの間に取付けることのできるシャワーヘッド用アスピレータ装置を提供することを課題とする。
【課題を解決するための手段】
【００１０】  そこで、本考案者は従来のマイクロバブル発生及び／もしくは混入手段を内設したシャワーヘッドに見られる欠点に鑑み鋭意研究を重ねた結果、一端をシャワーホース連結部とし、他端をシャワーヘッド連結部とし、中間を内部に空間の形成された気体混入部として構成される本体と、該気体混入部に形成する吸気孔に設ける球体及び吸気口部材と、該シャワーヘッド連結部に内設する吐水部とによってなり、該シャワーホース連結部には端面から該本体の軸方向に沿って連結溝を形成して内壁に螺刻するとともに、該連結溝の底面には水流ガイド通路が内部に形成された水流供給管を一体に形成してなり、該気体混入部には該水供給管の一端から該シャワーホース連結部に向かって内径が漸拡するテーパ状空間と、該本体の外周面から穿設する吸気孔が形成され、該シャワーホース連結部は取付空間を具え、かつ一端が開口端で、外周面と内周面とに螺刻してなり、該吐水部は筒状を呈し、両端を開口端とし、かつ外周面に螺刻し、一端において内径が漸縮してテーパ状を呈する傾斜内壁を形成してなり、該本体の該取付空間に螺着したシャワーヘッド用アスピレータ装置によって課題を解決でできる点に着眼し、係る知見に基づいて本考案を完成させた。【００１１】  以下この考案について説明する。請求項１に記載するシャワーヘッド用アスピレータ装置は、本体と、球体と、吸気口部材と、吐水部とによってなり、かつシャワーホースと、シャワーヘッドとの間に介在させて用いるシャワーヘッド用アスピレータであって、
該本体は略筒状を呈し、一端をシャワーホース連結部とし、他端をシャワーヘッド連結部とし、かつ該シャワーホース連結部と該シャワーヘッド連結部との間に定義され、内部に空間の形成された気体混入部とによって構成され、
該シャワーヘッド連結部には端面から該本体の軸方向に沿って連結溝を形成して内壁に螺刻するとともに、該連結溝の底面には中空の柱状を呈し、かつ該気体混入部の内部空間に連通する水流ガイド通路が内部に形成され、
該気体混入部には該水供給管の一端から該シャワーヘッド連結部に向かって内径が漸拡するテーパ状空間と、該本体の外周面から穿設する吸気孔が形成され、
該シャワーホース連結部は、該気体混入部の内部空間から連続して形成され、かつ該吐水部を取り付ける取付空間を具え、シャワーホースを取り付ける側の一端を開口端するとともに、外周面と内周面とのいずれにも螺刻してなり、
該球体は、該吸気孔内に移動自在に設け、
該吸気口部材は環状を呈し、該吸気孔内に嵌着して固定し、
該吐水部は筒状を呈して両端を開口端とし、一端を水流進入端とし、他端を水流吐出端とするとともに、該水流進入端において傾斜壁を形成してテーパ状の内部空間を形成し、かつ外周面の該水流吐出端側において該シャワーヘッド連結部の内周面に形成するネジ山に対応させて螺刻し、該シャワーヘッド連結部の該取付け空間に螺着する。【００１２】  上述する構造によれば、水が本体の一端から進入し、シャワーヘッドに吐出される過程においてベンチュリー効果が発生し、負圧が発生することによって、吸気孔から空気が吸い込まれ、微細な気泡となって水に混入する。係る簡易な構造のシャワーホーヘッド用アスピレータは、市販される通常のシャワーヘッドを取り外し、シャワーホースとシャワーヘッドとの間に着脱自在に取付けることができる。【００１３】  請求項２に記載するシャワーヘッド用アスピレータ装置は、請求項１における吐水部の該水流吐出端の内径が、該水流ガイド通路の内径に比して約４：３の比率で狭くなるように形成される。【００１４】  係る構成によれば、アスピレータ装置において好ましいベンチュリー効果が発生させることができる。【００１５】  請求項３に記載するシャワーヘッド用アスピレータ装置は、請求項１における本体の該気体混入部の外周面において、円周に沿って環状に環状溝を形成し、かつ該環状溝の底面に該吸気孔を穿設する。【００１６】  係る構造によれば、シャワーヘッドのグリップ部を握った場合、吸気孔がアスピレータの外周面に露出しないため。手で吸気孔が塞がれることを防ぐことができる。【００１７】  請求項４に記載するシャワーヘッド用アスピレータ装置は、請求項１における気体混入部の該テーパ状空間の最大内径が、該水供給管の内径に比して少なくとも２倍以上となる。【００１８】  係る設定によって気体混入部のテーパ状空間の大きさを定義することで、好ましいベンチュリー効果が得られる。【００１９】  請求項５に記載するシャワーヘッド用アスピレータ装置は、請求項１における本体の該気体混入部の吸気孔１２３の底部内壁の一部が、該吸気孔の中心に向かって迫り出し、突縁状の球体当接部を少なくとも１以上形成する。【００２０】  係る構造によれば、該吸気孔から空気が吸い込まれて該気体混入部に進入する場合、該球体が該球体当接部に当接して確実に止まるとともに、空気の流路を確保することができる。
【考案の効果】
【００２１】  この考案によるシャワーヘッド用アスピレータ装置は、簡易な構造で、製造が容易で製造コストを節減できるとともに、シャワーホースとシャワーヘッドとの間に着脱自在に取り付けることができるという使用上の利便性が得られることから、商品としての競争能力を高め、普及を促進するという効果が得られる。【００２２】  また、先止め式の止水装置を設けたシャワーヘッドに取付けた場合には、シャワーヘッド側で止水してもアスピレータの吸気孔から漏水することがなく、使用上のさらなる利便性が得られる。【００２３】  さらには、ベンチュリー効果によって気体を吸入して微細な気泡を水に混入させることによって節水効果が得られ、水分子の細分化によってシャワーによる洗浄力を高めるという効果が得られるとともに、シャワーヘッドへの取り付けのみならず、例えば観賞魚を飼育する水槽、養殖池など、水中に空気の供給を必要とする設備などへの転用も可能であり、高い応用性を具えるという利点を有する。
【図面の簡単な説明】
【００２４】
【図１】  この考案によるシャワーヘッド用アスピレータの断面構造を示した説明図である。
【図２】  図１に開示するシャワーヘッド用アスピレータの本体と吐水部の外観を示した斜視図である。
【図３】  図１に開示するシャワーヘッド用アスピレータの側面図である。
【図４】  この考案によるシャワーヘッド用アスピレータにおいて、シャワーヘッドに水が流れる状態と球体の状態を示した説明図である。
【図５】  この考案によるシャワーヘッド用アスピレータにおいて、吸気孔に水圧が作用した場合の球体の状態を示した説明図である。
【図６】  この考案によるシャワーヘッド用アスピレータの使用態様を示した説明図である。
【図７】  第２の実施の形態よるシャワーヘッド用アスピレータの断面構造を示した説明図である。
【考案を実施するための形態】
【００２５】  この考案は、簡易な構造で、かつ製造、取付け、取り外しが容易で、微細な気泡を水に混入させることができるとともに、先止め式の止水装置を具えたシャワーヘッドに取付けることのできるシャワーヘッド用アスピレータ装置を提供するものであって、一端をシャワーホース連結部とし、他端をシャワーヘッド連結部とし、中間を内部に空間の形成された気体混入部として構成される本体と、該気体混入部に形成する吸気孔に設ける球体及び吸気口部材と、該シャワーヘッド連結部に内設する吐水部とによってなり、該シャワーホース連結部には端面から該本体の軸方向に沿って連結溝を形成して内壁に螺刻するとともに、該連結溝の底面には水流ガイド通路が内部に形成された水流供給管を一体に形成してなり、該気体混入部には該水供給管の一端から該シャワーホース連結部に向かって内径が漸拡するテーパ状空間と、該本体の外周面から穿設する吸気孔が形成され、該シャワーホース連結部は取付空間を具え、かつ一端が開口端で、外周面と内周面とに螺刻してなり、該吐水部は筒状を呈し、両端を開口端とし、かつ外周面に螺刻し、一端において内径が漸縮してテーパ状を呈する傾斜内壁を形成してなり、該本体の該取付空間に螺着する。係るシャワーヘッド用アスピレータの構造と特徴を説明するために、具体的な実施例を挙げ、図面を参照にして以下に詳述する。
【実施例１】
【００２６】  図１に開示するように、この考案によるアスピレータ装置は、本体１と、吐水部２と、球体３と、吸気口部材４とを具えてなる。本体１と、球体３と、吸気口部材４とを組み立てた状態は、図２に開示するとおりであって、これに吐水部２を取り付けた状態は図３に開示するとおりである。【００２７】  本体１と、吐水部２と、及び吸気孔部４とは、それぞれ、例えばＡＢＳ樹脂などの適宜な材質を選択して射出成型にて成形する。よって、既存の射出成型用金型及び射出成型技術に鑑み、製造の便を図るために実施例においては本体１と、吐水部２と、及び吸気口部材４とをそれぞれ個別の部材としたが、技術上可能であれば、本体１と、吐水部２と、及び吸気口部材４とを一体に成形してもよい。【００２８】  本体１は略筒状を呈し、一端をシャワーヘッド連結部１１とし、他端をシャワーホース連結部１３とし、かつシャワーヘッド連結部１１とシャワーホース連結部１３との間に定義され、内部に空間の形成された部位を気体混入部１２とする。【００２９】  シャワーヘッド連結部１１には端面から本体１の軸方向に沿って連結溝１１１を形成し、かつ連結溝１１１の内壁に螺刻する。連結溝１１１は、図６に開示するように、シャワーヘッド７を連結するために供する部分であって、このため連結溝１４の内径、深さ及びネジ山のピッチは、市販される汎用のシャワーヘッドのシャワーホース連結部の外径、長さ及びネジ山のピッチに合わせて適宜設定する。【００３０】  また連結溝１１１には、底面から本体１の端面に至る水流ガイド管１１３を一体に形成する。水流ガイド管１１３は中空の柱状を呈し、水の流路となる水流ガイド通路１１２が軸方向に沿って内部に形成され、一端は図６に開示するようにシャワーヘッド６をシャワーヘッド連結部１１に連結した場合にシャワーヘッド６の一端に挿入され、他端は気体混入部１２に形成された空間に連通する、よって、水流ガイド通路１１２は、気体混入部１２の内部空間に連続した空間となる。【００３１】  気体混入部１２は内部空間を具え、該内部空間のシャワーヘッド連結部１１側には、水流ガイド管１１３の一端から傾斜内壁１２１を形成して、内径がシャワーホース連結部１３に向かって漸拡するテーパ状空間を形成する。また、本体１の外周面から、気体混入部１２の内部空間に連通する吸気孔１２２を穿設する。【００３２】  前記内径が漸拡して形成されるテーパ状空間は、このましくは最大内径が、水流ガイド管１１３の内径に比して少なくとも２倍以上となるように設定する。【００３３】  吸気孔１２２は、気体混入部１２の外周面のシャワーホース連結部１３に近接した位置において、円周に沿って環状に環状溝１２３を形成し、環状溝１２３の底面に穿設する。環状溝１２３を形成することによって、使用時に、アスピレータ装置の部分を握った手で吸気孔１２２が塞がれることを防ぐ。【００３４】  また、吸気孔１２２には、内部に球体３を移動自在に設け、かつ吸気口部材４を嵌挿する。吸気口部材４は環状に形成し、中心に吸気口を具える。吸気口部材４を嵌挿する場合は、例えば接着剤を塗布するなどの補助的な固定方法を選択することで堅牢に固定する。【００３５】  シャワーホース連結部１３は、気体���入部１２の内部空間から連続した内部空間であって、かつ吐水部２を取り付ける取付空間１３１を具え、シャワーホース５のシャワーヘッド取付部５１側の一端を開口端するとともに、外周面と内周面とのいずれにも螺刻する。シャワーホース連結部１３の外径と、外周面に形成するネジ山のピッチ、及び長さは、市販されるシャワーヘッドのシャワーホース連結部に見られる汎用的な外径、ネジ山のピッチ、及び長さに合わせて適宜に設定する。また、シャワーホース連結部１３の内周面に形成するネジ山は、吐水部２の螺着に供する。【００３６】  吐水部２は筒状を呈して両端を開口端とし、一端を水流が進入する水流進入端２３とし、他端を進入した水流を空気混入部１２に吐出する水流吐出端２１とする。水流吐出端２１の内径は、水流ガイド通路１１２の内径に比して狭くする。好ましくは、水流ガイド通路１１２の内径に比して約４：３の比率で狭くする。例えば、水流ガイド通路１１２の内径を４．５ｍｍとした場合、好ましくは水流進入端２３の内径を３．５ｍｍとする。【００３７】  また、吐水部２は、水流吐出端２１から傾斜壁２２を形成し、かつ外周面の水流進入端２３側には、シャワーホース連結部１３の内周面に形成するネジ山に対応させて螺刻する。よって、吐水部２の内部空間は、水流吐出端２１側において内径が漸拡してテーパ状の空間が形成される。【００３８】  この考案によるアスピレータ装置を組み立てる場合は、吐水部２を本体１のシャワーホース連結部１３の開口端から螺着し、球体３を気体混入部１２の吸気孔１２２に入れて、吸気口部材４を吸気孔１２２に嵌挿する。【００３９】  この考案によるアスピレータ装置を使用する場合は、図６に開示するように、シャワーホース５のシャワーヘッド取付部５１と、シャワーヘッド６との間に介在させる。即ち、シャワーホース５の一端のシャワーヘッド取付部５１に螺着したシャワーヘッド６を取り外し、次いでシャワーヘッド６を本体１のシャワーヘッド連結部１１に螺着し、シャワーホース５のシャワーホース取付部４１を本体１のシャワーホース連結部１３に螺着して、この考案によるアスピレータ装置を取り付ける。【００４０】  この考案によるアスピレータ装置は、給湯装置などの給水装置に接続したシャワーホースとシャワーヘッドとの間に取付けた状態において、該給水装置の水栓を開くと、水が水流進入端２１から進入し、吐水部２の傾斜壁２２によって形成されるテーパ状空間を経て気体混入部１２に吐出され、気体混入部１２の傾斜内壁１２１によって形成されるテーパ状空間から水流ガイド通路１１３を経てシャワーヘッド６に吐出される。この場合、ベンチュリー効果によって負圧が発生し、吸気孔１２２から空気が吸い込まれ、微細な気泡となって水に混入する。球体３は、図４に開示するように吸気孔１２２の内壁と吐水部２の外周面に当接し、気体混入部１２の内部空間に進入しない。【００４１】  上述するように、この考案によるシャワーヘッド用アスピレータは、すでに取り付けられているシャワーヘッドに対して簡易な操作で着脱自在に取り付けることができ、空気を吸い込み微細な気泡を水に混入させることで、洗浄力の向上、節水効果、もしくはマッサージ効果などが得られる。【���０４２】  また、この考案によるシャワーヘッド用アスピレータは、先止め式の止水装置を具えるシャワーヘッドへの応用に適しており、図５に開示するように、シャワーヘッド側で止水したことで、ャワーヘッド側の止水装置から水栓装置に至るまで水が充満し、かつ水圧が吸気孔１２２に向かって作用しても、球体３が吸気孔１２２を塞ぐため、吸気孔１２２から水が噴出することはない。
【実施例２】
【００４３】  図７に、第２の実施の形態を開示する。第２の実施の形態においては、気体混入部１２の吸気孔１２３の底部内壁の一部が吸気孔１２３の中心に向かって迫り出し、突縁状の球体当接部１２４を少なくとも１以上形成する。球体当接部１２４を形成した形成した吸気孔１２３を気体混入部１２の内部から見た状態を図７の一点鎖線の円内に開示する。図面には球体当接部１２４が傾斜内壁１２１から迫り出して２つ形成された例を開示する。【００４４】  上述する構造によれば、吸気孔１２２から空気が吸い込まれて気体混入部１２に進入する場合、球体３が球体当接部１２４に当接して確実に止まるとともに、空気の流路を確保することができる。
【符号の説明】
【００４５】１          本体
１１        シャワーヘッド連結部
１１１      連結溝
１１２      水流ガイド通路
１１３      水流ガイド管
１２        気体混入部
１２１      傾斜内壁
１２２      吸気孔
１２３      環状溝
１３        シャワーホース連結部
１３１      取付空間
２          吐水部
２１        水流進入端
２２        傾斜壁
２３        水流吐出端
３          球体
４          吸気口部材
５          シャワーホース
５１        シャワーヘッド取付部
６          シャワーヘッド
【図１】
0003208970.tif 000003
【図２】
0003208970.tif 000004
【図３】
0003208970.tif 000005
【図４】
0003208970.tif 000006
【図５】
0003208970.tif 000007
【図６】
0003208970.tif 000008
【図７】
0003208970.tif 000009